(57)【要約】 【課題】上壁とその周縁部から立ち下がる周側壁を有し、通水孔が分散形成されているとともに揚水筒体装着部を有する、底面フィルタなどと通称されている濾過器であって、メインテナンス時等において濾過器内部空間に砂利が入り込まず、濾過器下側に砂利がある状態でもそのまま使用でき、濾過器に係わるメインテナンス等の作業をそれだけ簡単、容易に行える濾過器を提供する。【解決手段】上壁１１と上壁１１の周縁部から立ち下がる周側壁１２とを有する濾過器本体１とその下端開口１３を閉じる蓋体２とを含んでいる濾過器Ａ。濾過器本体１は、上壁１１及び周側壁１２を有し、それらに複数の濾過用通水孔１１１、１２１が分散形成されており、上壁１１には揚水筒体装着部１５が形成されている。【選択図】  図１
2008036568.tif 000002
【特許請求の範囲】
【請求項１】
上壁と該上壁の周縁部から立ち下がる周側壁とを有し、該上壁及び周側壁のうち少なくとも該上壁に複数の濾過用通水孔が分散形成されているとともに下端が開口しており、上部に放水口を下部に空気供給口部を有する揚水筒体を該上壁及び周側壁で囲まれた内部空間に連通するように立設するための揚水筒体装着部をさらに有している濾過器本体と、該濾過器本体の下端開口を閉じる蓋体とを含み、水槽底部に敷設するとともに該揚水筒体装着部に該揚水筒体を立設し、該揚水筒体の空気供給口部から該揚水筒体内に空気を供給して該揚水筒体内を上昇させることで水槽内水を前記濾過用通水孔から前記内部空間へ、さらに該揚水筒体へ吸引し、前記揚水筒体内を上昇させ、該揚水筒体上部の放水口から水槽内へ放出させることができることを特徴とする濾過器。
【請求項２】
前記蓋体は前記濾過器本体にヒンジ連結され、前記濾過器本体の下端開口を開閉可能である請求項１記載の濾過器。
【請求項３】
前記濾過器本体と該濾過器本体にヒンジ連結された前記蓋体は、一体的に合成樹脂成形にて形成されている請求項２記載の濾過器。
【請求項４】
前記蓋体にも前記濾過器本体の内部空間へ通じる濾過用通水孔が形成されている請求項１、２又は３記載の濾過器。
【発明の詳細な説明】
【技術分野】
【０００１】
本発明は、魚等の動物の飼育や観賞、植物の育成や観賞等に用いることができる水槽の水を濾過、曝気しつつ循環させるために用いる、底面フィルタと通称されている濾過器に関する。
【背景技術】
【０００２】
水槽内水を濾過、曝気しつつ循環させる濾過器は、これまで種々のタイプのものが提案、開発され、実用に供されてきたが、大別すると、主たる部分を水中に設置するものと、主たる部分を水槽外に設置するものに大別される。
また、このように大別される各タイプの濾過器についても、それぞれ様々のタイプの濾過器が提案、開発され、実用に供されてきた。
【０００３】
主たる部分を水中に設置するタイプの濾過器の一つとして、一般に底面フィルタなどと通称されている濾過器が知られている。図１２及び図１３にその１例を示す。図１２及び図１３に示す濾過器９は、水槽７の底部７１に敷設するとともに揚水筒体８を装着して用いるものである。一般的には、より確実な水濾過、水草の固定、装飾等のために濾過器９に対し砂利１０を配置して用いられることが多い。
【０００４】
さらに説明すると、濾過器９は、上壁９１と上壁９１の周縁部から立ち下がる周側壁９２とを有し、上壁９１には複数の濾過用通水孔９３が分散形成されているとともに下端が開口９４している。
【０００５】
濾過器９は、さらに、揚水筒体装着部９５を有している。揚水筒体装着部９５は、上部に放水口８１を下部に空気供給口部８２を有する揚水筒体８の下端部を、上壁９１及び周側壁９２で囲まれた内部空間９０に連通するように装着して該筒体８を立設するものである。
【０００６】
この濾過器９は、水槽内底部７１に敷設するとともに揚水筒体装着部９５に揚水筒体８を立設し、一般的にはさらに砂利１０を上方から被せ配置し、図示省略の空気ポンプ等の空気供給手段を揚水筒体８の空気供給口部８２に接続して筒体内に空気を供給し該筒体内を上昇させることで水槽内水Ｗを砂利１０を通過させつつ通水孔９３から内部空間９０へ、さらに揚水筒体８内へ吸引し、揚水筒体８内を空気とともに曝気しつつ上昇させ、揚水筒体上部の放水口８１から水槽７へ戻し放出させるものである。
【０００７】
このタイプの濾過器は、例えば、雑誌「フィッシュマガジン  第４１巻・第７号（通巻４７２号）」（株式会社緑書房  平成１７年７月１日発行）の裏表紙の内側ページに記載されている。
【非特許文献１】雑誌「フィッシュマガジン  第４１巻・第７号（通巻４７２号）」（株式会社緑書房  平成１７年７月１日発行）の裏表紙の内側ページ
【発明の開示】
【発明が解決しようとする課題】
【０００８】
しかしながら、このような従来タイプの濾過器によると次の問題がある。
(1) 濾過器に対し砂利が配置されている場合、メインテナンス等時、濾過器を持ち上げると砂利が濾過器下へ回り込み、濾過器を水槽底部に再セットするとき、濾過器下端開口から濾過器内部空間に砂利が入り込み、そのまま使用すると、砂利による通水抵抗のため、主として揚水筒体装着部近傍の通水孔から水を吸い込めるだけの状態となり、濾過器を全体的に利用して濾過器内空間部に水槽内各部から効率的に水を吸引して水濾過及び曝気処理を行えなくなる。
【０００９】
(2) この問題を解決するには、水槽内から一旦砂利を全部又は略全部取り出し、濾過器を水槽底部に、濾過器内部空間に砂利が入り込まない状態で再セットした後、砂利を再投入しなければならないが、それではメインテナンス等の作業が煩わしく、手間取る。
【００１０】
そこで本発明は、内部空間に連通する濾過用通水孔を有するとともに、上部に放水口を下部に空気供給口部を有する揚水筒体を該内部空間に連通するように装着立設するための揚水筒体装着部を有し、水槽内底部に敷設するとともに該揚水筒体装着部に前記揚水筒体を装着立設し、該揚水筒体の空気供給口部から該揚水筒体内に空気を供給して該揚水筒体内を上昇させることで水槽内水を前記濾過用通水孔から前記内部空間へ、さらに該揚水筒体内へ吸引し、前記揚水筒体内を上昇させ、該揚水筒体上部の放水口から水槽内へ放出させることができるタイプの濾過器であって、濾過器に対し砂利が配置されている状態においてメインテナンス等のために濾過器を持ち上げ、その後砂利をそのままにして濾過器を再セットする場合でも、濾過器内部空間に砂利が入り込まず、濾過器の再使用に支障がなく、また、濾過器下側に砂利がある状態でもそのまま使用でき、かくして濾過器に係わるメインテナンス等の作業をそれだけ簡単、容易に行える濾過器を提供することを課題とする。
【課題を解決するための手段】
【００１１】
前記課題を解決するため本発明は、
上壁と該上壁の周縁部から立ち下がる周側壁とを有し、該上壁及び周側壁のうち少なくとも該上壁に複数の濾過用通水孔が分散形成されているとともに下端が開口しており、上部に放水口を下部に空気供給口部を有する揚水筒体を該上壁及び周側壁で囲まれた内部空間に連通するように立設するための揚水筒体装着部をさらに有している濾過器本体と、該濾過器本体の下端開口を閉じる蓋体とを含み、水槽底部に敷設するとともに該揚水筒体装着部に該揚水筒体を立設し、該揚水筒体の空気供給口部から該揚水筒体内に空気を供給して該揚水筒体内を上昇させることで水槽内水を前記濾過用通水孔から前記内部空間へ、さらに該揚水筒体へ吸引し、前記揚水筒体内を上昇させ、該揚水筒体上部の放水口から水槽内へ放出させることができる濾過器を提供する。
【００１２】
この濾過器は、内部空間に連通する濾過用通水孔を有するとともに、上部に放水口を下部に空気供給口部を有する揚水筒体を該内部空間に連通するように装着立設するための揚水筒体装着部を有し、水槽内底部に敷設するとともに該揚水筒体装着部に前記揚水筒体を装着立設し、該揚水筒体の空気供給口部から該揚水筒体内に空気を供給して該揚水筒体内を上昇させることで水槽内水を前記濾過用通水孔から前記内部空間へ、さらに該揚水筒体内へ吸引し、前記揚水筒体内を上昇させ、該揚水筒体上部の放水口から水槽内へ放出させることができるタイプの濾過器である。
【００１３】
本発明に係る濾過器は、上壁と該上壁の周縁部から立ち下がる周側壁とからなる濾過器本体の下端開口を蓋体で閉じた状態で水槽底部に敷設して用いることができ、濾過器に対し砂利が配置されている状態でメインテナンス等のために濾過器を持ち上げ、その後砂利をそのままにして濾過器を再セットする場合でも、濾過器内部空間に砂利が入り込まず、濾過器の再使用に支障がなく、また、濾過器下側に砂利がある状態でもそのまま使用でき、かくして濾過器に係わるメインテナンス等の作業をそれだけ簡単、容易に行える。
【００１４】
本発明に係る濾過器は、それに対して配置された砂利とともに用いることで例えば水濾過をそれだけ確実に行える等の利点があるが、砂利とともに用いなくてもよい。砂利がなくても、濾過用通水孔を通過出来ない大きさの被濾過物について濾過処理を行うことができる。
【００１５】
本発明に係る濾過器においては、前記濾過器本体の下端開口を閉じる蓋体を該濾過器本体にヒンジ連結して、該下端開口を開閉可能としてもよい。これにより、濾過器内部空間の清掃が容易になる等の利点がある。
【００１６】
本発明に係る濾過器は種々の材料で形成できるが、製作コストを抑えるうえで、例えば、前記濾過器本体と該本体にヒンジ連結された前記蓋体を、一体的に合成樹脂成形にて形成してもよい。
【００１７】
濾過器内部空間へより広い範囲から水を吸い込めるように、前記蓋体にも該内部空間へ通じる濾過用通水孔を形成してもよい。濾過器下側に砂利等が存在するとき、このような蓋体の通水孔があると、濾過器下側からも吸水し易くなる。
【発明の効果】
【００１８】
以上説明したように本発明によると、内部空間に連通する濾過用通水孔を有するとともに、上部に放水口を下部に空気供給口部を有する揚水筒体を該内部空間に連通するように装着立設するための揚水筒体装着部を有し、水槽内底部に敷設するとともに該揚水筒体装着部に前記揚水筒体を装着立設し、該揚水筒体の空気供給口部から該揚水筒体内に空気を供給して該揚水筒体内を上昇させることで水槽内水を前記濾過用通水孔から前記内部空間へ、さらに該揚水筒体内へ吸引し、前記揚水筒体内を上昇させ、該揚水筒体上部の放水口から水槽内へ放出させることができる濾過器であって、濾過器に対し砂利が配置されている状態においてメインテナンス等のために濾過器を持ち上げ、その後砂利をそのままにして濾過器を再セットする場合でも、濾過器内部空間に砂利が入り込まず、濾過器の再使用に支障がなく、また、濾過器下側に砂利がある状態でもそのまま使用でき、かくして濾過器に係わるメインテナンス等の作業をそれだけ簡単、容易に行える濾過器を提供することができる。
【発明を実施するための最良の形態】
【００１９】
以下、本発明の実施の形態を説明する。
図１から図８は本発明に係る濾過器の１例Ａを示している。図１は濾過器Ａの平面図、図２は図１の濾過器Ａの底面図、図３は図１の濾過器Ａの正面図、図４は図１の濾過器Ａの背面図、図５は図１の濾過器Ａの右側面図、図６は図１の濾過器Ａの左側面図、図７は図１のＸ−Ｘ線に沿う断面図である。図８は図１の濾過器Ａの、後述する蓋体２を開いて全体を平面から見た展開図である。
【００２０】
図１から図８に示す濾過器Ａは、濾過器本体１と濾過器本体の下端開口を閉じる蓋体２とからなっている。
濾過器本体１は、上壁１１と、該上壁の周縁部から立ち下がる周側壁１２とからなっており、下端は開口１３（図７参照）となっている。上壁１１と周側壁１２で囲まれた空間を濾過器Ａの内部空間１４として有している（図７等参照）。内部空間１４は蓋体２で閉じられていない状態では開口１３にて下方へ開放される。
【００２１】
上壁１１には内部空間１４に通じる、それぞれがスリット状の複数の濾過用通水孔１１１を分散形成してある（例えば図１参照）。周側壁１２にも、内部空間１４に通じる、それぞれがスリット状の複数の濾過用通水孔１２１を分散形成してある（例えば図１、図３〜図７参照）。
【００２２】
上壁１１にはさらに、背面寄り部位の左右部分それぞれに揚水筒体装着部１５を形成してある。揚水筒体装着部１５は、図９〜図１１に示す揚水筒体３の下端部３０を差し込み装着して立設するためのものである。
【００２３】
濾過器本体１の周側壁１２のうち正面側の壁部分１２Ｆには、上下方向に延びる左右一対の連結用係合溝部１２２を形成してあり（図１〜図３等参照）、背面側の壁部分１２Ｂには該溝部１２２に対応させて左右一対の連結用係合突起部１２３を形成してある（図１、図２、図４、図８等参照）。
【００２４】
蓋体２は、濾過器本体１の周側壁１２のうち左側面壁部分１２Ｌの下縁部に一対のヒンジ部２１にて連結されており、濾過器本体１の下端開口１３を開閉することができる。濾過器Ａの使用時には本体下端開口１３は蓋体２で閉じられた状態とされる。
【００２５】
蓋体２は、これで濾過器本体開口１３を閉じたときに濾過器本体１の連結用係合溝部１２２に対応する位置に立ち上がり突起部２２を有しており、該突起部２２は、蓋体２で濾過器本体開口１３を閉じたとき該連結用係合溝部１２２の下部に嵌合する（図１、図２、図３等参照）。
【００２６】
また、蓋体２は、これで濾過器本体開口１３を閉じたときに濾過器本体１の連結用係合突起部１２３に対応する位置に突起部２３を有しており、該突起部２３は、蓋体２で濾過器本体開口１３を閉じたとき本体側の該連結用係合突起部１２３の下部に形成された凹所１２３ａに嵌合する（図１、図２、図４等参照）。                                        
【００２７】
このように蓋体２の突起部２２及び２３を濾過器本体１の連結用係合溝部１２２及び連結用係合突起部１２３下部の凹所１２３ａにそれぞれ嵌合させることで蓋体２を閉じた状態に維持できる。
蓋体２にも図２に示すように濾過器内部空間１４に通じる、スリット状の濾過用通水孔２４を分散形成してある。
【００２８】
本例の濾過器Ａは、蓋体２を開いて濾過器本体１と略同じ平面に配置して平面から見ると図８に示す状態となる。濾過器本体１と蓋体２とは、図８に示す展開状態で合成樹脂成形により、ヒンジ部２１も含め一体的に安価に成形することができ、使用時には既述のとおり蓋体２で濾過器本体１の下端開口１３を閉じればよい。また、メインテナンス時等においては、蓋体２を開いて濾過器Ａ内の清掃もできる。
【００２９】
以上説明した濾過器Ａは、蓋体２で濾過器本体１の下端開口１３を閉じ、図９及び図１０に示すように、濾過器本体１の二つの揚水筒体装着部１５のうち少なくとも一方に揚水筒体３の下端部３０を差し込み装着して立設し、図１１に例示するように濾過器Ａを水槽（例えば動植物観賞用水槽）７の底部７１に敷設して用いる。図１１に示す例では、濾過器Ａ上に砂利１０を被せ配置してある。
【００３０】
揚水筒体３は、上端に放水口３１を有しているととにも下部に空気供給口部３２を有している。図示省略の空気ポンプを図示省略の空気パイプを介して該空気供給口部３２に接続し、該空気ポンプから揚水筒体３内へ空気を供給すると、供給された空気は筒体３内を上昇し、これに伴って、ジエットポンプの原理で、濾過器本体１の濾過用通水孔１１１、１２１から、また、濾過器Ａの配置状態によっては蓋体２の濾過用通水孔２４からも水槽内水Ｗが濾過器内空間部１４に吸引され、さらに揚水筒体３へ吸い込まれ、上昇し、揚水筒体３の放水口３１から水槽内へ戻される。
【００３１】
このように水が循環する過程で砂利１０により水は濾過され、たとえ砂利１０が配置されていな場合でも、スリット状の各通水孔１１１、１２１、２４にて、該孔を通過できない大きさの被濾過物についても濾過処理できるとともに水槽内水Ｗが曝気され、浄化処理される。
【００３２】
以上説明した濾過器Ａは、濾過器Ａに対し砂利１０が配置されている状態においてメインテナンス等のために濾過器Ａを持ち上げ、その後砂利をそのままにして濾過器Ａを再セットする場合でも、濾過器Ａの内部空間１４は蓋体２で閉じられているため該内部空間に砂利が入り込まず、濾過器Ａの再使用に支障がない。また、濾過器Ａ下側に砂利１０がある状態でもそのまま使用でき、かくして濾過器Ａに係わるメインテナンス等の作業をそれだけ簡単、容易に行える。
【００３３】
なお、以上説明した濾過器Ａは、これを複数個隣り合わせて並べ、且つ、各隣り合う濾過器Ａ同士において、一方の濾過器Ａの連結用係合溝部１２２に他方の濾過器Ａの連結用係合突起部１２３を対応させ、該突起部１２３を溝部１２２に上方から嵌合させることで、隣り合う濾過器Ａを連結することができ、そのように連結した状態でも用いることができる。そのように連結された隣り合う濾過器Ａ同士においては、一方の濾過器Ａの濾過器本体１の周側壁１２のうち正面側壁部分１２Ｆに設けた通水孔１２１と他方の濾過器Ａの濾過器本体１の周側壁１２のうち背面側壁部分１２Ｂに設けた通水孔１２１とが通じ合う。
【産業上の利用可能性】
【００３４】
本発明は、例えば魚等の動物の飼育や観賞、植物の育成や観賞等に用いることができる水槽の水を濾過することに利用できる。
【図面の簡単な説明】
【００３５】
【図１】本発明に係る濾過器の１例の平面図である。
【図２】図１の濾過器の底面図である。
【図３】図１の濾過器の正面図である。
【図４】図１の濾過器の背面図である。
【図５】図１の濾過器の右側面図である。
【図６】図１の濾過器の左側面図である。
【図７】図１のＸ−Ｘ線に沿う断面図である。
【図８】図１の濾過器の、蓋体を開いて全体を平面から見た展開図である。
【図９】図１の濾過器に揚水筒体を立設した状態の正面図である。
【図１０】図１の濾過器に揚水筒体を立設した右側面図である。
【図１１】図１の濾過器の使用状態例を示す図である。
【図１２】従来例濾過器の平面図である。
【図１３】図１２に示す濾過器の使用状態例を示す図であり、濾過器は図１２のＹ−Ｙ線に沿う断面で示してある。
【符号の説明】
【００３６】
Ａ  濾過器
１  濾過器本体
２  蓋体
１１  上壁
１１１  通水孔
１２  周側壁
１２１  通水孔
１２２  連結用係合溝部
１２３  連結用係合突起部
１２３ａ  突起部１２３下部の凹所
１３  下端開口
１４  濾過器Ａの内部空間
１５  揚水筒体装着部
２  蓋体
２１  ヒンジ部
２２  蓋体に形成された突起部
２３  蓋体に形成された突起部
２４  濾過用通水孔
３  揚水筒体
３１  放水口
３２  空気供給口部
３０  揚水筒体下端部
１２Ｆ  周側壁１２のうち正面側壁部分
１２Ｂ  周側壁１２のうち背面側壁部分
１２Ｌ  周側壁１２のうち左側面壁部分
７  水槽
７１  水槽底部
８  揚水筒体
８１  放水口
８２  空気供給口部
９  濾過器
９１  上壁
９２  周側壁
９３  通水孔
９４  濾過器９の下端開口
９５  揚水筒体装着部
９０  濾過器内部空間
１０  砂利
Ｗ  水槽内水
【図１】
2008036568.tif 000003
【図２】
2008036568.tif 000004
【図３】
2008036568.tif 000005
【図４】
2008036568.tif 000006
【図５】
2008036568.tif 000007
【図６】
2008036568.tif 000008
【図７】
2008036568.tif 000009
【図８】
2008036568.tif 000010
【図９】
2008036568.tif 000011
【図１０】
2008036568.tif 000012
【図１１】
2008036568.tif 000013
【図１２】
2008036568.tif 000014
【図１３】
2008036568.tif 000015